(57)【要約】      （修正有）【課題】画像中の各補正点に関する補正状態をユーザが即座に判定可能な表示装置を提供する。【解決手段】プロジェクタ（表示装置）１０は、画像中の複数の補正点から一つの補正点を選択する操作部（選択手段）１０２と、選択手段により選択された補正点に関する補正値に基づいて画像を補正する幾何学補正部（補正手段）１０７と、補正値が変更された補正点に関して、補正値が変更されたことを示す第１の情報を画像中に表示するＯＳＤ合成部（表示手段）１０５とを有する。【選択図】図１
2020150429.tif 000002
【特許請求の範囲】
【請求項１】
画像中の複数の補正点から一つの補正点を選択する選択手段と、
前記選択手段により選択された前記補正点に関する補正値に基づいて画像を補正する補正手段と、
前記補正値が変更された前記補正点に関して、前記補正値が変更されたことを示す第１の情報を前記画像中に表示する表示手段と、を有することを特徴とする表示装置。
【請求項２】
前記表示手段は、前記複数の補正点を有する調整用画像を前記画像中に表示することを特徴とする請求項１に記載の表示装置。
【請求項３】
前記表示手段は、前記選択手段により前記複数の補正点のうち前記一つの補正点が選択されていることを示す第２の情報を前記画像中に表示することを特徴とする請求項１または２に記載の表示装置。
【請求項４】
前記補正手段は、前記選択手段により選択された補正点ごとに変更された前記補正値に基づいて、前記画像を補正することを特徴とする請求項１乃至３のいずれか１項に記載の表示装置。
【請求項５】
前記表示手段は、前記補正値に基づいて、前記第１の情報の表示を変更することを特徴とする請求項１乃至４のいずれか１項に記載の表示装置。
【請求項６】
前記表示手段は、前記補正値に基づいて、前記第１の情報の形状、色、および、大きさの少なくとも一つを変更することを特徴とする請求項５に記載の表示装置。
【請求項７】
前記表示手段は、前記選択手段により選択された前記補正点の位置に基づいて、前記第１の情報の表示形式を変更することを特徴とする請求項１乃至６のいずれか１項に記載の表示装置。
【請求項８】
前記表示手段は、前記補正値が変更された前記補正点の位置と、前記選択手段により選択された前記補正点の前記位置との間の距離に基づいて、前記第１の情報の前記表示形式を変更することを特徴とする請求項７に記載の表示装置。
【請求項９】
前記補正値は、投射画像の幾何学補正を行うための補正値であることを特徴とする請求項１乃至８のいずれか１項に記載の表示装置。
【請求項１０】
前記補正値は、表示画像の輝度ムラ補正を行うための補正値であることを特徴とする請求項１乃至８のいずれか１項に記載の表示装置。
【発明の詳細な説明】
【技術分野】
【０００１】
本発明は、プロジェクタやディスプレイ装置などの表示装置に関する。
【背景技術】
【０００２】
表示装置は、一般的に、ユーザの好みや設置状況に合わせて、メニューから表示画像の色や位置等の調整や表示状況の調整を行うことができる。近年、表示装置の解像度の向上に伴い、一画面全体の状態を一律に調整するだけでなく、一画面を複数に分割した座標のうち、特定座標をユーザが指定して調整を行うことが可能な表示装置が知られている。特許文献１には、画像を複数の四辺形領域に分割し、分割された各四辺形領域の一つの頂点（補正点）に関して画像の幾何学補正を行う投射型表示装置が開示されている。
【先行技術文献】
【特許文献】
【０００３】
【特許文献１】特許第５８８４３８０号公報
【発明の概要】
【発明が解決しようとする課題】
【０００４】
しかしながら、特許文献１に開示された投射型表示装置では、補正済みの補正点がある場合でも、その補正点にカーソルを移動させないと、その補正点が補正済みであるか否か、または、その補正点に関する補正値を判定することができない。このため、元々、光学的な画像の歪みが無かったのか、または補正により画像の歪みが無くなったのか（補正状態）を即座に判定することが難しい。
【０００５】
そこで本発明は、画像中の各補正点に関する補正状態をユーザが即座に判定可能な表示装置を提供することを目的とする。
【課題を解決するための手段】
【０００６】
本発明の一側面としての表示装置は、画像中の複数の補正点から一つの補正点を選択する選択手段と、前記選択手段により選択された前記補正点に関する補正値に基づいて画像を補正する補正手段と、前記補正値が変更された前記補正点に関して、前記補正値が変更されたことを示す第１の情報を前記画像中に表示する表示手段とを有する。
【０００７】
本発明の他の目的及び特徴は、以下の実施形態において説明される。
【発明の効果】
【０００８】
本発明によれば、画像中の各補正点に関する補正状態をユーザが即座に判定可能な表示装置を提供することができる。
【図面の簡単な説明】
【０００９】
【図１】第１の実施形態における表示装置のブロック図である。
【図２】第１の実施形態における幾何学補正処理を示すフローチャートである。
【図３】第１の実施形態における幾何学補正処理の説明図である。
【図４】第２の実施形態における幾何学補正処理の説明図である。
【図５】第３の実施形態における幾何学補正処理の説明図である。
【図６】第４の実施形態における表示装置のブロック図である。
【図７】第４の実施形態における輝度ムラの説明図である。
【図８】第４の実施形態における輝度ムラ補正処理の説明図である。
【発明を実施するための形態】
【００１０】
以下、本発明の実施形態について、図面を参照しながら詳細に説明する。
【００１１】
（第１の実施形態）
まず、図１を参照して、本発明の第１の実施形態におけるプロジェクタ（表示装置）の構成について説明する。図１は、プロジェクタ（表示装置）１０のブロック図である。本実施形態では、プロジェクタ１０の構成や各部の役割を説明した後、ユーザが幾何学補正を実施する場合の処理について説明する。
【００１２】
制御部１０１は、後述する各種機能ブロックを制御する。操作部（選択手段）１０２は、ユーザによる操作を受け付ける機能を有する。具体的には図示していないが、リモコンやキーパッド等のデバイスを介してユーザの操作を受け付ける。また操作部１０２は、シリアル通信やネットワーク通信等によりユーザの操作を受け付けることもできる。
【００１３】
画像入力部１０３は、パソコン等の外部装置から画像信号を入力する。画像処理部１０４は、制御部１０１の指示に従い、画像入力部１０３に入力された画像信号に所定の画像処理を施す。画像処理部１０４は、例えば、画像の明るさやコントラストを変更する。
【００１４】
ＯＳＤ合成部（表示手段）１０５は、制御部１０１からの指示に従い、画像処理部１０４から出力された画像に、メニュー画面やチャート（調整用画像）等の画像を重ね合わせて表示する。すなわちＯＳＤ合成部１０５は、画像入力部１０３に入力された画像信号から生成された画像にチャート（調整用画像）を重ねて表示することができる。またはＯＳＤ合成部１０５は、画像入力部１０３に入力された画像信号から生成した画像と合成せずにチャートのみを表示することも可能である。ここで、チャートとは、一画面を複数に分割した座標のうち、特定座標をユーザが指定して調整を行うための画像（調整用画像）である。
【００１５】
幾何学補正部（補正手段）１０７は、制御部１０１から指示された補正パラメータに基づいて、画像の成分ごとに幾何学補正を行う。ここで幾何学補正は、投射画面上の１画素単位未満の色ずれの補正である。例えば、図４のメニュー４０４のＲ、Ｇ、Ｂのそれぞれの補正や、平面ではない投射面に投射した際の投射画面の補正（例えば、図４のメニュー４０４のＡＬＬの調整（ＲＧＢ同時に調整）である。具体的には、図３を参照して後述するように、画像（画像領域）を縦横に複数の線分で分割し、画像を複数の四角形領域に分割することができる（チャート３０１）。線分の交点（格子点）を制御点（補正点）として、制御点の移動量を表す補正パラメータに基づき、移動前の制御点が移動後の制御点に合うようにそれぞれの四角形領域を幾何学的に補正する。
【００１６】
パネル駆動部１０８は、幾何学補正部１０７から出力された画像に基づいて、パネル（光変調素子）１０９を駆動し、パネル１０９上に光変調用画像を形成する。パネル駆動部１０８からの駆動信号で、３枚（Ｒ用、Ｇ用、Ｂ用）のパネル１０９が駆動される。なおパネル１０９は、透過型液晶パネル、反射型液晶パネル、または、ＤＭＤのいずれでもよい。またパネル１０９は、１枚（単板）で、時分割でＲ、Ｇ、Ｂを表示してもよい。
【００１７】
光源制御部１１０は、制御部１０１の指示に従い、光源１１１を制御する。光源１１１から出射された光は、パネル１０９により変調され、投射レンズ１１２を通過して投射型表示装置１００の外部に結像し、投射画像を形成する。なお、実際には光源１１１とパネル１０９との間には色分離光学系、および、パネル１０９と投射レンズ１１２との間には色合成光学系等がそれぞれ存在するが、本実施形態ではその説明を省略する。
【００１８】
次に、図２および図３を参照して、ユーザが幾何学補正処理を実施する場合の処理の流れを説明する。図２は、プロジェクタ１０における幾何学補正処理を示すフローチャートである。図２の各ステップは、主に、ユーザによる操作部１０２の操作に従い、制御部１０１の指令に基づいてＯＳＤ合成部１０５および幾何学補正部１０７により実行される。図３は、幾何学補正処理の説明図であり、各処理で表示するチャート画像（調整用画像）およびガイド画像を示している。
【００１９】
まず図２のステップＳ１において、ユーザが操作部１０２の操作によりプロジェクタ１０のメニューから幾何学補正機能を選択すると、ＯＳＤ合成部１０５は、図３（Ａ）に示されるようにＮ×Ｍの格子状のチャート３０１を表示画像（投射画像）上に重畳表示する。本実施形態では、チャート３０１は１６×９の格子状のチャートであるが、これに限定されるものではなく、ＮおよびＭは２以上の整数であればよい。チャート３０１は、複数の格子点（補正点）３０３を有する。
【００２０】
続いて、図２のステップＳ２において、ＯＳＤ合成部１０５は、ユーザがいずれの補正点を選択しようとしているかをユーザが判別できるように、補正点を囲むように第１のガイド画像３０２を表示する。第１のガイド画像３０２は、ＯＳＤ合成部１０５により複数の格子点３０３のうち一つの補正点が選択されていることを示す情報（第２の情報）である。
【００２１】
続いてステップＳ３において、制御部１０１は、前回のプロジェクタ使用時などにおいて複数の格子点３０３のうちいずれかの格子点に関する調整（補正）が行われたか否か、すなわち補正済みの格子点が存在するか否かを判定する。補正済みの格子点が存在しない場合、ステップＳ５に進む。一方、補正済みの格子点が存在する場合、ステップＳ４に進む。
【００２２】
ステップＳ４において、ＯＳＤ合成部１０５は、補正済みの格子点を囲むように、図３（Ｃ）に示されるように、第２のガイド画像３０５を表示する。第２のガイド画像３０５は、補正値が変更された格子点に関して、補正済みであること（補正値が変更されたこと）を示す情報（第１の情報）である。また第２のガイド画像３０５は、第１のガイド画像３０２とは形状や色等が異なる。複数の格子点のそれぞれに関して補正が行われた場合、図３（Ｄ）に示されるように、補正された複数の格子点のそれぞれに対して第２のガイド画像３０５−１、３０５−２を表示する。補正済みの格子点がない場合、ＯＳＤ合成部１０５は第２のガイド画像３０５を表示しない。
【００２３】
続いて、図２のステップＳ５において、制御部１０１は、ユーザが操作部１０２を操作することにより、任意の一つの格子点に第１のガイド画像３０２を移動させて決定操作を行ったか否か、すなわち補正対象の格子点が選択されたか否かを判定する。格子点が選択されていない場合、ステップＳ５を繰り返す。一方、格子点が選択された場合、ステップＳ６に進む。
【００２４】
ステップＳ６において、幾何学補正部１０７は、ユーザが設定した設定値に基づいて、ＯＳＤ合成部１０５から出力される画像を補正する（補正値設定処理）。このとき、選択された格子点以外には注目する必要がない。このため、図３（Ｂ）に示されるように、ＯＳＤ合成部１０５は、第１のガイド画像３０２の表示形状を第１のガイド画像３０２ａに変更するとともに、チャート３０１を選択された格子点の周囲のみのチャート３０１ａに変更する。またこのとき、補正済みの格子点に関する第２のガイド画像３０５を一時的に非表示にする。ただし本発明は、これに限定されるものではなく、第２のガイド画像３０５を薄く表示するようにしてもよい。
【００２５】
なお本実施形態において、図３（Ｂ）に示されるように、補正値の入力が可能なメニュー３０４を表示し、ユーザが赤・緑・青の各色成分のみの単独での画素補正または赤・緑・青の３色成分の画素を一括して補正することが可能である。ただし、補正値を設定（変更）可能であれば、このようなメニューに限定されるものではない。なお本実施形態において、メニュー３０４はＡＬＬで設定したため、Ｒ、Ｇ、Ｂには同じ値が入っている。ただし、Ｒ、Ｇ、Ｂをそれぞれ調整した場合、Ｒ、Ｇ、Ｂには互いに異なる値が表示され得る。
【００２６】
ユーザが補正値を設定して格子点に関する補正値設定処理を終えると、制御部１０１は、その格子点に関する補正値とともにその格子点を補正済みの格子点としてプロジェクタ１０の内部の不揮発メモリ（非図示）に記録する。そしてＯＳＤ合成部１０５は、その格子点に対して第２のガイド画像３０５を画像中に表示する。続いて図２のステップＳ７において、制御部１０１は、ユーザによる操作部１０２の操作により、補正処理の終了操作がされたか否かを判定する。終了操作がされていない場合、ステップＳ３に戻り、ステップＳ３〜Ｓ７を繰り返す。一方、終了操作がされた場合、本フローを終了する。
【００２７】
このように本実施形態において、ユーザが補正対象点を決定すると、制御部１０１は、例えば図３（Ｂ）に示されるようなメニュー３０４を表示する。そして、ユーザが対象（ＡＬＬ／Ｒ／Ｇ／Ｂ）を選択し、上下ボタンなどで対象補正点の数値を増減させて補正値を設定すると、幾何学補正部１０７は、設定した補正値に基づいて画像を補正する。
【００２８】
本実施形態によれば、幾何学補正処理においてチャート３０１を画像中に表示した段階で、複数の格子点（補正点）の各々が補正された状態にあるのか否かをユーザが瞬時に判別することが可能となる。なお本実施形態において、第２のガイド画像３０５は、補正済みの格子点を囲むような形状を有するが、これに限定されるものではない。第２のガイド画像は、例えば、格子点上に重ねて表示してもよい。
【００２９】
（第２の実施形態）
次に、本発明の第２の実施形態について説明する。第１の実施形態では、補正済みの格子点（補正点）を示す第２のガイド画像を表示する。本実施形態では、更に、ユーザが格子点に設定した補正値に応じて、第２のガイド画像の形状を変更して表示する。なお、本実施形態のプロジェクタの基本構成は、図１を参照して第１の実施形態にて説明したプロジェクタ１０と同様であるため、その説明は省略する。
【００３０】
図４（Ａ）〜（Ｄ）は、本実施形態における幾何学補正処理の説明図であり、各処理で表示するチャート画像（調整用画像）およびガイド画像を示している。本実施形態では、第１の実施形態と同様に、幾何学補正部は、ユーザにより設定された補正値に基づいて画像を補正し、補正値設定処理を終える。また本実施形態では、第１の実施形態と同様に、画像中にチャート４０１（チャート４０１ａ）、第１のガイド画像４０２、複数の格子点４０３、および、メニュー４０４を表示する。また本実施形態では、補正済みの格子点（補正点）の近傍に第２のガイド画像４０５を表示する。
【００３１】
本実施形態において、第２のガイド画像４０５の形状は、ユーザが設定した補正値に応じて変化する。図４（Ｃ）は、ユーザが格子点４０３に対して赤のサブ画素を、右方向に２単位、下方向に２単位、設定値（補正値）を入力した場合の例を示しており、補正の方向に対応する矢印形状の第２のガイド画像４０５を重畳表示させる。また、第２のガイド画像４０５の大きさも補正量の大きさに合わせた大きさで重畳表示させる。また、第２のガイド画像４０５の色についても、補正値を入力した色に対応する色で表示を行う。図４（Ｄ）において、第２のガイド画像４０５−１は図４（Ｃ）中の第２のガイド画像４０５に相当し、第２のガイド画像４０５−２は格子点の補正値として赤のサブ画素を上に２単位、下に２単位の設定値をユーザが設定した場合を示している。
【００３２】
なお本実施形態では、第２のガイド画像は矢印形状であるが、補正方向や補正された色や補正された量が表現できれば、矢印形状に限定されるものではない。例えば、補正された量に応じて、第２のガイド画像の色の濃淡を変えて表示することや、具体的に「赤左２」のような直接的な情報を第２のガイド画像として表示してもよい。
【００３３】
本実施形態によれば、幾何学補正処理においてチャート４０１を画像中に表示した段階で、複数の格子点（補正点）の各々が補正された状態にあるのか否かをユーザが瞬時に判別することが可能となる。また、各格子点に関して設定された補正量をユーザが容易に把握することができる。
【００３４】
（第３の実施形態）
次に、本発明の第３の実施形態について説明する。第２の実施形態では、ユーザが格子点に設定した補正値に応じて第２のガイド画像の形状を変更して表示するが、本実施形態では、第１のガイド画像と第２のガイド画像との間の距離に応じて、第２のガイド画像の表示形態を変化させて表示する。なお、本実施形態のプロジェクタの基本構成は、図１を参照して第１の実施形態にて説明したプロジェクタ１０と同様であるため、その説明は省略する。
【００３５】
図５は、本実施形態における幾何学補正処理の説明図である。本実施形態では、第１の実施形態と同様に、幾何学補正部は、ユーザにより設定された補正値に基づいて画像を補正し、補正値設定処理を終える。また本実施形態では、第１の実施形態と同様に、画像中にチャート（調整用画像）５０１、第１のガイド画像５０２、および、第２のガイド画像５０３−１、５０３−２を表示する。
【００３６】
本実施形態では、ユーザが選択する格子点（補正点）を示す第１のガイド画像５０２と、補正済みの格子点を示す第２のガイド画像５０３−１、５０３−２との間の位置関係（距離）に基づいて、第２のガイド画像の表示形態を変更する。例えば、第１のガイド画像と第２のガイド画像との間の位置関係（距離）がＬ点以内（所定の距離以内）である場合、第２のガイド画像５０３−１のように具体的に補正された値を合わせて表示するように制御する。図５は、Ｌ＝２の場合の例を示している。第１のガイド画像５０２を、補正済みの格子点から２点以内に移動させた場合、第２のガイド画像５０３−１のように補正された項目および補正量を合わせて表示する。なお、この例では、
赤サブ画素：左：０単位、右：２単位、上：２単位、下：０単位
緑サブ画素：左：１単位、右：０単位、上：０単位、下：０単位
青サブ画素：左：１単位、右：０単位、上：０単位、下：０単位
を補正値として設定していることを表現している。
【００３７】
一方、第１のガイド画像５０２から２点以上離れた補正済みの格子点に関する第２のガイド画像５０３−２は、具体的な補正量を表示せず、単に補正済みか否かを示す画像（情報）を表示する。
【００３８】
本実施形態によれば、幾何学補正処理においてチャート５０１を画像中に表示した段階で、複数の格子点（補正点）の各々が補正された状態にあるのか否かをユーザが瞬時に判別することが可能となる。また、特定の格子点に続いてその近傍の格子点の補正値を設定する際に、近傍の補正済みの格子点の補正値を参照した状態で補正処理を行うことができる。
【００３９】
（第４の実施形態）
次に、本発明の第４の実施形態について説明する。第１の実施形態から第３の実施形態では、ユーザが幾何学補正を実施する場合についての処理を説明したが、本実施形態は、幾何学補正以外の補正処理を行う場合を説明する。以下、図６乃至図８を参照して、本実施形態におけるディスプレイ装置（表示装置）において輝度ムラを補正する場合の処理について説明する。なお、輝度ムラ補正は、プロジェクタにおいても実行可能である。
【００４０】
まず、図６を参照して、本実施形態におけるディスプレイ装置（表示装置）６０の構成について説明する。図６は、ディスプレイ装置６０のブロック図である。本実施形態では、ディスプレイ装置６０の構成や各部の役割を説明した後、ユーザが輝度ムラ補正を実施する場合の処理について説明する。
【００４１】
制御部６０１は、後述する各種機能ブロックを制御する。操作部（選択手段）６０２は、ユーザによる操作を受け付ける機能を有する。具体的には図示していないが、リモコンやキーパッド等のデバイスを介してユーザの操作を受け付ける。また操作部６０２は、シリアル通信やネットワーク通信等によりユーザの操作を受け付けることもできる。
【００４２】
画像入力部６０３は、パソコン等の外部装置から画像信号を入力する。画像処理部６０４は、制御部６０１の指示に従い、画像入力部６０３に入力された画像信号に所定の画像処理を施す。画像処理部６０４は、例えば、画像の明るさやコントラストを変更する。また画像処理部６０４は、チャート（調整用画像）を表示することも可能である。画像処理部６０４は、画像入力部６０３に入力された画像信号から生成された画像にチャートを重ねて表示することができるが、画像入力部６０３に入力された画像信号から生成した画像と合成せずにチャートのみを表示することも可能である。
【００４３】
ＯＳＤ合成部（表示手段）６０５は、制御部６０１からの指示に従い、画像処理部６０４から出力された画像に、メニュー画面やチャート（調整用画像）等の画像を重ね合わせて表示する。詳細は後述するが、輝度ムラ補正部（補正手段）６０７は、画像信号の赤、青、緑に対する補正パラメータに基づいて、画像信号の輝度レベル補正（輝度ムラ補正）を行う。
【００４４】
パネル駆動部６０８は、輝度ムラ補正部６０７から出力された画像に基づいて、パネル（光変調素子）６０９を駆動し、パネル１０９上に光変調用画像を形成する。パネル駆動部６０８からの駆動信号で、３枚（Ｒ用、Ｇ用、Ｂ用）のパネル６０９が駆動される。光源制御部６１１は、制御部６０１の指示に従い、ＬＥＤなどの光源６１２を制御する。光源６１２から出射された光は、パネル６０９により変調され、カラーフィルタ６１０を通過して色付きの表示画像を形成する。
【００４５】
次に、図７を参照して、画像に生じる輝度ムラについて説明する。図７は、輝度ムラの説明図である。７０１は、ディスプレイ装置６０の画面（表示画像）である。表示画像として、全面均一の輝度レベルの信号、例えば一様な白の映像を入力信号として入力した場合、表示画像は、画面内のすべての領域で均一の輝度であることが理想である。しかしながら、実際にはパネル６０９やカラーフィルタ６１０の特性などにより、画像には輝度ムラ７０２−１〜７０２−３が生じる。輝度ムラ補正部６０７に輝度ムラ７０２−１〜７０２−３を打ち消すような補正値を設定することで、表示画像の輝度ムラを抑制して均一な表示画像を得ることができる。
【００４６】
次に、図８（Ａ）〜（Ｃ）を参照して、輝度ムラ補正部６０７による輝度ムラ補正処理について説明する。図８（Ａ）〜（Ｃ）は、輝度ムラ補正処理の説明図である。ユーザが輝度ムラ補正を実行しようとする場合、まずＯＳＤ合成部６０５は、図８（Ａ）に示されるように表示画面上にチャート（調整用画像）を重畳表示させる。そしてＯＳＤ合成部６０５は、現在選択しようとしている座標（格子点または補正点）が把握できるように第１のガイド画像８０１を表示する。また、既に輝度ムラ補正値を設定した座標がある場合、ＯＳＤ合成部６０５は、図８（Ｃ）に示されるように第２のガイド画像８０４を表示する。一方、輝度ムラ補正値を設定した座標がない場合、ＯＳＤ合成部６０５は第２のガイド画像８０４を表示しない。
【００４７】
ユーザが補正対象の座標を選択すると、図８（Ｂ）に示されるように、ＯＳＤ合成部６０５は、第１のガイド画像８０２ａを表示した状態で、輝度ムラ補正値（輝度ムラ補正レベル）を設定するためのメニュー８０３を表示する。ユーザが輝度ムラ補正値を設定して終了操作を行うと、ＯＳＤ合成部６０５は、補正値が設定された座標に対して第２のガイド画像８０４を表示する。これにより、チャートを表示している段階で、各格子点に関して輝度ムラが補正されているか否か(補正状態)をユーザが瞬時に判別することが可能になる。
【００４８】
このように本発明は、第１の実施形態から第３の実施形態のように幾何学補正処理だけでなく、輝度ムラ補正処理のように、ユーザが一画面中における複数の領域（位置）に関して補正値を設定する処理にも適用可能である。また、第２のガイド画像の表示形状や表示の方法は第２の実施形態および第３の実施形態にて説明したように、補正量や第１のガイド画像からの距離に応じて変更してもよい。また、第１の実施形態から第３の実施形態で説明した第２のガイド画像表示方法を、ユーザが別のメニューから予め選択してユーザの好みの表示方法で使用してもよい。
【００４９】
以上のとおり、各実施形態の表示装置（プロジェクタ１０、ディスプレイ装置６０）は、選択手段（操作部１０２、６０２）、補正手段（幾何学補正部１０７、輝度ムラ補正部６０７）、および、表示手段（ＯＳＤ合成部１０５、６０５）を有する。選択手段は、画像中（投射画像中または表示画像中）の複数の補正点（複数の格子点または位置）から一つの補正点を選択する。補正手段は、選択手段により選択された補正点に関する補正値に基づいて画像を補正する。表示手段は、補正値が変更された補正点に関して、補正値が変更されたことを示す第１の情報（第２のガイド画像３０５）を画像中に表示する。
【００５０】
好ましくは、表示手段は、複数の補正点を有する調整用画像（チャート３０１、４０１、５０１）を画像中に表示する。また好ましくは、表示手段は、選択手段により複数の補正点のうち一つの補正点が選択されていることを示す第２の情報（第１のガイド画像３０２）を画像中に表示する。また好ましくは、補正手段は、選択手段により選択された補正点ごとに変更された補正値に基づいて、画像を補正する。また好ましくは、表示手段は、補正値に基づいて、第１の情報の表示を変更する。より好ましくは、表示手段は、補正値に基づいて、第１の情報の形状、色、および、大きさの少なくとも一つを変更する。好ましくは、表示手段は、選択手段により選択された補正点の位置に基づいて、第１の情報の表示形式を変更する。より好ましくは、表示手段は、補正値が変更された補正点の位置と、選択手段により選択された補正点の位置との間の距離に基づいて、第１の情報の表示形式を変更する。
【００５１】
好ましくは、補正値は、投射画像の幾何学補正を行うための補正値である。また好ましくは、補正値は、表示画像の輝度ムラ補正を行うための補正値である。
【００５２】
各実施形態によれば、画像中の各補正点に関する補正状態をユーザが即座に判定可能な表示装置を提供することができる。
【００５３】
以上、本発明の好ましい実施形態について説明したが、本発明はこれらの実施形態に限定されず、その要旨の範囲内で種々の変形及び変更が可能である。
【符号の説明】
【００５４】
１０    プロジェクタ（表示装置）
１０２  操作部（選択手段）
１０５  ＯＳＤ合成部（表示手段）
１０７  幾何学補正部（補正手段）
３０５  第２のガイド画像（第１の情報）
【図１】
2020150429.tif 000003
【図２】
2020150429.tif 000004
【図３】
2020150429.tif 000005
【図４】
2020150429.tif 000006
【図５】
2020150429.tif 000007
【図６】
2020150429.tif 000008
【図７】
2020150429.tif 000009
【図８】
2020150429.tif 000010